(57)【特許請求の範囲】
【請求項１】
一方の側端に補助天板を蝶着した主天板を、支持脚体に対して、前記主天板だけが前記支持脚体上に支持される位置と、前記主天板及び前記補助天板の両方が前記支持脚体上に支持される位置とに、移動可能に装着し、
ガイドローラ付きローラ支持部材と前記ガイドローラを案内するガイドレールとの一方を、主天板の裏面に、同じく他方を、支持脚体の上部に取り付け、前記ローラ支持部材と前記ガイドレールとの相対的な移動により、前記主天板だけが前記支持脚体上に支持される位置と、前記主天板及び前記補助天板の両方が前記支持脚体上に支持される位置とを占めるようにし、
さらに、ガイドローラをローラ支持部材の両端部に配設するとともに、ガイドレールには、これら２個のガイドローラを、前記主天板だけが前記支持脚体上に支持される位置と、前記主天板及び前記補助天板の両方が前記支持脚体上に支持される位置とにおいて、沈み込ませる凹部を設けたことを特徴とする天板伸長式テーブル。
【請求項２】
ガイドレールの両端部に、ローラ支持部材の端部に当接して、これを係止する端片を設けた請求項１記載の天板伸長式テーブル。
【請求項３】
支持脚体は、その上部を構成する左右方向に延びる平行な２本の梁部材を有し、かつこの上に載置される主天板の下面には、前記梁部材の側部に当接して、前記主天板の移動を案内する複数の突起部を設けた請求項１または２記載の天板伸長式テーブル。
【発明の詳細な説明】
【０００１】
【発明の属する技術分野】
本発明は、天板面積を拡張できる天板伸長式テーブルに関する。
【０００２】
【従来の技術】
従来、補助天板をテーブルの側面に蝶番によって取り付け、普段は、補助天板をテーブルの側面に沿って下げてあるが、必要に応じて、これを、蝶番を軸として、テーブル面と同一面になるように起こし、ステー等により支えるようにした天板伸長式テーブルは知られている。
このような天板伸長式テーブルは、普段は小面積状態で使用し、広々と作業をしたい時や、大人数で使用する場合には、天板面積を広くして使用できるので、スペース効率がよく、多くの用途に活用できるという利点がある。
【０００３】
【発明が解決しようとする課題】
しかし、上述の従来の構造では、天板伸長時に、補助天板がテーブルの側方にその分だけ余計にせり出すため、この補助天板に上から荷重が加わると、テーブル全体が傾いて転倒するおそれがあり危険であった。
【０００４】
本発明は、上述の問題点に鑑みてなされたもので、天板面積を広げた場合でも、補助天板上に加わる荷重を安定して支持することができ、しかも単純な構造で、簡単な操作により伸長できる天板伸長式テーブルを提供することを目的とする。
【０００５】
【課題を解決するための手段】
本発明によると、上記課題は、次のようにして解決される。
(１)  一方の側端に補助天板を蝶着した主天板を、支持脚体に対して、前記主天板だけが前記支持脚体上に支持される位置と、前記主天板及び前記補助天板の両方が前記支持脚体上に支持される位置とに、移動可能に装着し、ガイドローラ付きローラ支持部材と前記ガイドローラを案内するガイドレールとの一方を、主天板の裏面に、同じく他方を、支持脚体の上部に取り付け、前記ローラ支持部材と前記ガイドレールとの相対的な移動により、前記主天板だけが前記支持脚体上に支持される位置と、前記主天板及び前記補助天板の両方が前記支持脚体上に支持される位置とを占めるようにし、さらに、ガイドローラをローラ支持部材の両端部に配設するとともに、ガイドレールには、これら２個のガイドローラを、前記主天板だけが前記支持脚体上に支持される位置と、前記主天板及び前記補助天板の両方が前記支持脚体上に支持される位置とにおいて、沈み込ませる凹部を設ける。
【０００６】
(２)  上記(１)項において、ガイドレールの両端部に、ローラ支持部材の端部に当接して、これを係止する端片を設ける。
【０００７】
(３)  上記(１)または(２)項のいずれかにおいて、支持脚体が、その上部を構成する左右方向に延びる平行な２本の梁部材を有し、かつこの上に載置される主天板の下面には、前記梁部材の側部に当接して、前記主天板の移動を案内する複数の突起部を設ける。
【０００８】
【発明の実施の形態】
本発明による天板伸長式テーブルの一実施例を、図１(ａ)には、補助天板(４)を下げた状態の斜視図で、また同図(ｂ)には、補助天板(４)を上げて天板面積を広くした状態の斜視図で示してある。
【０００９】
符号(１)は、主天板(３)と補助天板(４)とからなる天板全体を示し、符号(２)は、４本のキャスター付きの脚(５)を備え、前後１対の脚(５)を上部で連結する左右２本の連結梁部材(5a)を、２本の梁部材(７)によりロ字状に連結してなる支持脚体を示す。
【００１０】
図２(ａ)は、図１(ａ)の正面図であり、この状態から、補助天板(４)を矢印により示すように起こして、同図(ｂ)に示すように、天板(１)全体を水平方向に側方へ押して、支持脚体(２)上を移動させると、同図(ｃ)及び図１の(ｂ)に示す天板伸長状態となる。
【００１１】
天板(１)を支持脚体(２)上に移動可能に支持する機構を、図３〜図５を参照して説明する。
【００１２】
蝶番(９)により補助天板(４)と連結された主天板(３)の底面には、ガイドローラ(11)を両端に備えるローラ支持部材(６)が２本、互いに間隔を隔てて平行に左右方向に長く延びている。
各ローラ支持部材(６)は、図４によく示されているように、Ｌ字形断面に折り曲げた鋼板材からなり、その垂直片(6b)の外側にはガイドローラ(11)が、下方に突出するようにして取り付けられ、この面が外側へ向け水平片(6a)をもって、主天板(３)に取り付けられている。２本のローラ支持部材(６)の間隔は、後述する２本のガイドレール(８)の間隔に合わせて定められている。
【００１３】
前述のように前後方向に延びる左右の連結梁部材(5a)は、左右方向に延びる２本の梁部材(７)により連結されて、ロ字状のフレームを形成しているが、この２本の梁部材(７)に、それぞれガイドレール(８)が取り付けられている。
図４によく示されているように、ガイドレール(８)は、鋼板を折り曲げて作られたもので、下片(8d)の上面が、ガイドローラ(11)を転動させるレール面となっている。
側片(8e)は、ローラ支持部材(６)の垂直片(6b)の高さよりも低い高さを有し、上片(8a)は、固定部材(６)のガイドローラ(11)を付けた垂直片(6b)を上方から受け入れることができるように幅の狭い面とされている。
【００１４】
ガイドレール(８)の長さは、ローラ支持部材(６)の長さの２倍とされており、その両端には、内部を移動するローラ支持部材(６)の端部が当接する端片(8b)(8c)となっている。
【００１５】
レール面となる下片(8d)の左右両端近く及び中央には、ガイドローラ(11)を沈み込ませる凹部(12)が形成されている。
【００１６】
図３及び図５に示すように、主天板(３)の下面には、前述のようにして左右方向に長く取り付けられたローラ支持部材(６)の左右の延長線上に、突起部(10)が４つ取り付けられており、突起部(10)は、梁部材(７)の側面に当接して、天板(１)の移動時のふれ止めとなるようになっている。
【００１７】
図１(ａ)及び図２(ａ)に示した補助天板(４)を使用しない状態では、主天板(３)に取り付けたローラ支持部材(６)の２個のガイドローラ(11)は、図４に示す左端及び中央の凹部(12)に沈み込んでおり、主天板(３)の下面は、支持脚体(２)の上端の梁部材(７)及び連結梁部材(5a)の上面に当接している。この位置では、ローラ支持部材(６)の左端部は、ガイドレール(８)の端片(8c)に当接する。
【００１８】
図２(ｂ)に示すように補助天板(４)を起こして水平とし、これを右方に押すと、ガイドローラ(11)は、凹部(12)を脱してレール面上に上がる。この状態では、主天板(３)及び補助天板(４)の下面は、支持脚体(２)の梁部材(７)及び連結梁部材(5a)の上面から離れ、ガイドローラ(11)の転動により軽く右方へ走行し、２個のガイドローラ(11)は、中央及び右端の凹部(12)に沈み込む位置に至る。
【００１９】
この位置では、ローラ支持部材(６)の右端部は、ガイドレール(８)の端片(8b)に当接して止まる。また、この位置では、図１(ｃ)に示すように、補助天板(４)の相当部分までが梁部材(７)の上に乗っている。従って、補助天板(４)は、しっかりと支持脚体(２)によって支持される。
【００２０】
【発明の効果】
請求項１記載の発明によれば、天板全体が支持脚体に対して水平方向に移動するため、天板を広げた状態でも、支持脚体から天板の片側だけが、あまり横にせり出した形状にならず、転倒の危険が小さく安全である。
しかも、その転換作業は、補助天板の姿勢を変えて押すか引くだけでよく、きわめて単純で、作業し易い。
【００２１】
ガイドローラ付きのローラ支持部材と前記ガイドローラを案内するガイドレールとの一方を主天板の裏面に、他方を支持脚体の上部に取り付け、前記ローラ支持部材と前記ガイドレールとの相対的な移動により、前記主天板だけが前記支持脚体上に支持される位置と、前記主天板及び前記補助天板の両方が前記支持脚体上に支持される位置とを占めるようにしてあるから、簡単な機構で確実な転換作業を行うことができる。
【００２２】
ガイドローラをローラ支持部材の両端部に配設するとともに、ガイドレールには、これら２個のガイドローラを、前記主天板だけが前記支持脚体上に支持される位置と前記主天板及び前記補助天板の両方が前記支持脚体上に支持される位置とにおいて、沈み込ませる凹部を設けてあるから、変換作業時に、まず天板の下面がは支持脚体の上面から離れるので、移動が小さい力でスムーズに行われ、転換後は再び天板下面と支持脚体上面が当接するので、安定した支持がなされる。
【００２３】
請求項２記載の発明によると、ガイドレールの両端部に、ローラ支持部材の端部に当接して、これを係止する端片を設けてあるから、天板の移動を、所望の２位置において確実に停止させることができる。
【００２４】
請求項３記載の発明によると、支持脚体は、その上部を構成する左右方向に延びる平行な２本の梁部材を有し、かつこの上に載置される主天板の下面には、前記梁部材の側部に当接して、前記主天板の移動を案内する複数の突起部を設けてあるから、天板の水平移動の間、天板を梁部材に沿って平行に移動させ、ぶれを生じさせることがない。
【図面の簡単な説明】
【図１】(ａ)は、本発明天板伸長式テーブルの一実施例を補助天板不使用状態で示す斜視図、(ｂ)は、補助天板使用状態で示す斜視図である。
【図２】(ａ)は、図１に示した実施例を補助天板不使用状態で示す一部省略正面図、(ｂ)は、補助天板不使用状態から補助天板使用状態に変換する途中の状態を示す同様な図、(ｃ)は、補助天板使用状態を示す同様な図である。
【図３】図１に示した実施例を示す一部省略分解斜視図である。
【図４】図３に示したガイドローラ付き固定部材とガイドレールとの分解拡大斜視図である。
【図５】完成したテーブルのローラ支持部材及びガイドレール付近の拡大横断面図である。
【符号の説明】
(１)天板
(２)支持脚体
(３)主天板
(４)補助天板
(５)脚
(5a)連結梁部材
(６)ローラ支持部材
(6a)水平片
(6b)垂直片
(７)梁部材
(８)ガイドレール
(8a)上片
(8b)(8c)端片
(8d)下片
(8e)側片
(９)蝶番
(10)突起部
(11)ガイドローラ
(12)凹部
【図１】
0003588957.tif 000002
【図２】
0003588957.tif 000003
【図３】
0003588957.tif 000004
【図４】
0003588957.tif 000005
【図５】
0003588957.tif 000006